(57)【要約】      （修正有）【課題】ズレやたるみ或いは固定用ヒモが切断することの無い自動車のペット用座席カバーを提供する。【解決手段】背もたれ１に、下地用シ−ト６を被せ、フロア−４にはペット用補助席５を配置する。その下地用シ−ト６とペット用補助席５に、ペット用座席カバ−７を密着一体化させ、ペット用座席カバ−７がズレたりたるんだりすることを無くする。【選択図】図１
2006143169.tif 000002
【特許請求の範囲】
【請求項１】
座席前フロア−に、踊場を設けたことを特徴とするペット用補助席。
【請求項２】
前記踊場は、座席と同じ位の高さであることを特徴とする請求項１記載のペット用補助席。
【請求項３】
前記踊場は、ペット用品が収納できることを特徴とする請求項１記載のペット用補助席。
【請求項４】
背もたれとペット用補助席に、ズレ止めを設けたことを特徴とするペット用座席カバ−。
【請求項５】
前記ズレ止めは、複数設けられた帯状のマジックテ−プであることを特徴とする請求項４記載のペット用座席カバ−。
【請求項６】
助手席・運転席背もたれ裏側を、シ−トで覆ったことを特徴とする背もたれカバ−。
【請求項７】
前記シ−トは、助手席・運転席背もたれに被せることを特徴とする請求項６記載の背もたれカバ−。
【請求項８】
後部座席背もたれに、ズレ止めを設けたことを特徴とする人用座席カバ−。
【請求項９】
前記ズレ止めは、複数設けられた帯状のマジックテ−プであることを特徴とする請求項８記載の人用座席カバ−。
【発明の詳細な説明】
【技術分野】
【０００１】  この発明は、自動車のペット用座席カバ−の形状に関する。
【背景技術】
【０００２】  従来の自動車に用いるペット用座席カバ−の形状は、図２に示すように、背もたれ１及び２と座席３をシ−ト９で覆い、ヒモ１０で固定したものである。
【発明の開示】
【発明が解決しようとする課題】
【０００３】  しかしながら、以上の技術によれば、ペットが動くとペット用座席カバ−９がズレたりたるんだりする事が多く、特にフロア−部４にペット１１が移動したら、ペット用座席カバ−９が落ち込み引っ張られ、ヒモ１０が切断すぐ使用できなくなった。
そこでこの発明は、ズレやたるみ或いは固定用ヒモが切断することの無いペット用座席カバ−を提供することを課題とする。
【課題を解決するための手段】
【０００４】  以上の課題を解決するために、第一発明は、フロア−部にペット用補助席を設けたことを特徴とするペット用座席カバ−である。
また第二発明は、背もたれとペット用補助席にズレ止めを設け、このズレ止めは、複数設けられた帯状のマジックテ−プであることを特徴とするペット用座席カバ−である。
第三発明は、前部座席背もたれの裏側にシ−トを設け、このシ−トは、前部座席背もたれに被せることを特徴とする背もたれカバ−である。
第四発明は、ペットが使用しない座席にカバ−を設け、このカバ−は、ズレ止めで一体化できることを特徴とする人用座席カバ−である。
【発明の効果】
【０００５】  第一発明、または第二発明によれば、ペット用補助席と複数のズレ止めを設けたので、ペット用座席カバ−のたるみやズレが無くなるし、固定用のヒモも必要としない。
第一発明によれば、フロア−部にペット用補助席を設けたので、ペット用座席を幅広く確保できる。
第三発明によれば、前部座席背もたれの裏側にカバ−を被せたので、背もたれ裏側の汚れを防ぐことができる。
第四発明によれば、ペットが使用しない座席も人用座席カバ−で被うので、汚れたカバ−だけ取り外し洗濯ができ、車内の掃除が楽になる。またズレ止めは全て覆われる事になるので、ズレ止めの破損や汚れも無くなる。
【発明を実施するための最良の形態１】
【０００６】  この発明の一実施形態１を、図１に示す。
座席３前のフロア−４に、マジックテ−プを貼り付けたペット用補助席５が置かれ、背もたれ１には、マジックテ−プが付いた下地用シ−ト６が被せられている。このペット用補助席５と下地用シ−ト６のマジックテ−プに、ペット用座席カバ−７の裏側に付けられたマジックテ−プを密着一体化させる。ペット用座席カバ−７は、日常的に使用するカバ−と雨天用カバ−が準備されている。
また、ペットが使用しない座席には、人用座席カバ−を被せる。
前部座席背もたれ２の裏側の汚れを防ぐため、背もたれカバ−８が被せられている。
【発明を実施するための最良の形態２】
【０００７】  この発明の一実施形態２を、図３に示す。
座席３前のフロア−４に、ペット用品収納部の扉１５と、高さ調節用ボルト１６及びマジックテ−プ１４を備え、複数個使用する場合、締付け固定できる様な金具１７が付いたペット用補助席５を配置する。
下地用シ−ト６は、背もたれ１にマジックテ−プ１２を付け被せられ、下端部は背もたれ１と座席３との隙間に挿し込み固定されている。
ペット用座席カバ−７は、高さ調整されたペット用補助席５に貼り付けられたマジックテ−プ１４と、下地用シ−ト６に付けられたマジックテ−プ１２に、ペット用座席カバ−７の裏側に付けたマジックテ−プ１３を密着し、一体化させる。
前部座席背もたれ２の裏側の汚れを防ぐため、背もたれカバ−８が被せられている。
【発明を実施するための最良の形態３】
【０００８】  この発明の一実施形態３を、図４に示す。
座席３前のフロア−４に設置されるペット用補助席５は、ペット用品収納部１８用の扉１５と高さ調整用ボルト１６を備え、マジックテ−プ１４が貼り付けられている。マジックテ−プ１４は、取替えできる構造になっている。
ペット用補助席を複数個使用する場合、ボルト１９で固定された金具１７に、高さ調整用ボルト１６とマジックテ−プ１４が貼り付けられた、中央部ペット用補助席２１を、ボルト２０で締め付け固定する。
幅の狭い車種では、左右のペット用補助席５に付けられた金具１７を、継板２２とボルト２０で締め付け固定する。
【発明を実施するための最良の形態４】
【０００９】  この発明の一実施形態４を、図５に示す。
助手席の下地用シ−ト２３は、背もたれ２に被せられ、下端を背もたれ２と座席の隙間に挿し込み固定される。
後部座席背もたれ１は車種により形状が違うので、下地用シ−トの上端を背もたれ上部に挿し込むタイプ６、上端を被せるタイプ２４、頭当て部２５を切り抜き、上端を被せるタイプ２６等がある。
下地用シ−トの下端は、背もたれ下部と座席の隙間に挿し込み固定される。
後部座席にはペット用座席カバ−７が１〜３枚使用されるが、幅が狭い車種は、ペット用座席カバ−７が１〜２枚使用の下地用シ−ト２７を用いる。
【００１０】  この発明の一実施形態５を、図６に示す。
後部座席背もたれ１に被せられた下地用シ−ト６に、ペット用座席カバ−７が、ズレ止め用マジックテ−プで密着一体化されている。
ペット用座席カバ−７は、家族構成や家族がペットと一緒に乗りたい等の理由で、枚数が制限されるが、ペット用座席カバ−７が被せられていないマジックテ−プをそのまま放置すると、マジックテ−プに衣服が絡み付いたり、マジックテ−プが破損したり汚れたりするので、ズレ止め用マジックテ−プ２９が付いた人用座席カバ−２８を、下地用シ−ト６のマジックテ−プ１２に密着させ被せる。
また下地用シ−ト６全体が、ペット用或いは人用座席カバ−で覆われる事になるので、カバ−が汚れた場合、そのカバ−だけ取り外し洗濯等もできるので、車内の清掃を楽に行う事ができる。
【００１１】「実施形態の効果」
この実施形態によれば、ペット用補助席５のマジックテ−プ１４と、下地用シ−ト６のマジックテ−プ１２の働きで、ペット用座席カバ−７はズレやたるみが発生しない。
また座席３前のフロア−４にペット用補助席５を設置した働きで、ペット用座席が幅広く確保できる。
前部座席背もたれに背もたれカバ−８が被せられた働きで、背もたれ裏側を清潔に保つ事ができる。
人用座席カバ−２８を設けた働きで、ズレ止め用マジックテ−プの衣服への絡み付きや、マジックテ−プの破損、汚れが無くなる。
したがって、ペットが動いたりフロア−部に移動しても、ペット用座席カバ−のズレやたるみが無くなるので、抜け毛や手足に付いた泥等がこぼれず、座席を清潔に保つ事ができる。また悪天候の日でも雨天用座席カバ−を使用すると、ペットを座席に乗せてから拭く事ができ、車外と違い、拭いた後からまたペットが泥等で汚れる事もなくなる。
ペット用補助席を設けた働きで座席幅が広くなり、大型ペットも座席と直角方向に横になれ、後部座席全体を占拠する等も無くなるので、家族と一緒に乗る事ができる。
前部座席席背もたれにカバ−を被せたので、抜け毛や手足に付いた泥等で、背もたれ裏側が汚れる事が無くなる。
家族がペットと一緒に乗るのに、ペット用座席以外の下地用シ−トのマジックテ−プに、人用座席カバ−を被せたので、マジックテ−プが衣服へ絡み付いたり、マジックテ−プが破損したり汚れたりする事が無くなる。また汚れた座席カバ−だけ簡単に取り外し洗濯等ができるので、自動車内部を清潔に保つ事ができる。
人用座席カバ−は、乗る人の年齢等により絵柄入り、花柄入りまたは体に優しい素材を使うなど、様々な用途が考えられる。
ペット用補助席にペット用品収納部を設けたので、ペットの飲み水や汚れを拭くタオル、汚れ物等が収納できるし、ペット用座席カバ−、ペット用補助席、人用座席カバ−共分割されているので、自動車のトランクにも簡単に収納できる。
【００１２】「他の実施形態」
図６の実施形態では、前部座席背もたれ裏側に背もたれカバ−が被せられているが、市販されている座席シ−トを使用しても良い。
【図面の簡単な説明】
【００１３】
【図１】この発明の一実施形態を示す斜視図である。
【図２】従来技術を示す断面図である。
【図３】この発明の一実施形態を示す各部材の斜視図である。
【図４】この発明の一実施形態を示すペット用補助席の斜視図である。
【図５】この発明の一実施形態を示す車種による下地用シ−トの斜視図である。
【図６】この発明の一実施形態を示す人用座席カバ−の斜視図である。
【符号の説明】
【００１４】      １  背もたれ                              ２  助手席背もたれ
３  座席                                  ４  フロア−
５  ペット用補助席                        ６  下地用シ−ト
７  ペット用座席カバ−                    ８  背もたれカバ−
９  従来のペット用座席カバ−            １０  固定用ヒモ
１１  ペット                              １２  下地シ−ト用マジックテ−プ
１３  座席カバ−用マジックテ−プ          １４  ペット補助席用マジックテ−プ
１５  ペット用品収納部扉                  １６  ペット補助席用高さ調整ボルト
１７  ペット補助席用金具                  １８  ペット用品収納部
１９  金具締め付けボルト                  ２０  締め付けボルト
２１  中央部ペット用補助席                ２２  中央部ペット用継板
２３  助手席下地用シ−ト                  ２４  下地用シ−ト（被せるタイプ）
２５  後部座席頭当て                      ２６  下地用シ−ト（頭当てタイプ）
２７  下地用シ−ト（車幅が狭いタイプ）    ２８  人用座席カバ−
２９  人用座席カバ−マジックテ−プ
【図１】
2006143169.tif 000003
【図２】
2006143169.tif 000004
【図３】
2006143169.tif 000005
【図４】
2006143169.tif 000006
【図５】
2006143169.tif 000007
【図６】
2006143169.tif 000008